(57)【特許請求の範囲】
【請求項１】
上下方向に沿って相手側コネクタと嵌合可能なコネクタであって、
前記コネクタは、コンタクトと、前記コンタクトを保持する保持部材と、前記保持部材に組み込まれる２つの補強部材とを備えており、
前記保持部材は、前記相手側コネクタの一部を収容する収容部と、前記収容部内に配置され且つ前記上下方向において上方に突出した島状部とを有しており、
前記島状部は、前記上下方向と直交する第１水平方向に長手を有しており、
前記補強部材は、前記第１水平方向において前記島状部の２つの端部に夫々位置しており、
前記補強部材の夫々は、前記島状部の前記端部を保護する保護部と、前記保護部を支持する支持部とを有しており、
前記保護部は、前記上下方向において前記島状部から上方に露出している上面と、前記島状部に埋め込まれる埋設部と、前記上面と前記埋設部とを連結すると共に前記島状部から露出している露出連結部とを有しており、
前記支持部は、前記第１水平方向と前記上下方向とで規定される面内又は前記第１水平方向及び前記上下方向の双方と直交する第２水平方向と前記上下方向とで規定される面内において、前記上面から前記上下方向において下方に延びる第１支持部及び第２支持部を有しており、
前記第２支持部は、前記上下方向において、前記第１支持部の１／２倍以上１倍以下のサイズを有している
コネクタ。
【請求項２】
請求項１記載のコネクタであって、
前記補強部材の夫々は、前記第１支持部から延びる下側露出部を有しており、
前記下側露出部は、前記上下方向において、前記保持部材から下方に露出している
コネクタ。
【請求項３】
請求項２記載のコネクタであって、
前記下側露出部は、前記上下方向において、前記保持部材の底面と同じ位置に位置しているか、または、前記底面から下側に突出している
コネクタ。
【請求項４】
請求項２又は請求項３記載のコネクタであって、
前記下側露出部は、第１下側露出部であり、
前記補強部材の夫々は、前記第２支持部から延びる第２下側露出部を有しており、
前記第２下側露出部は、前記上下方向において、前記保持部材から下方に露出している
コネクタ。
【請求項５】
請求項４記載のコネクタであって、
前記保護部の前記上面は、前記第２水平方向において、前記第１下側露出部と前記第２下側露出部との間に位置している
コネクタ。
【請求項６】
請求項２又は請求項３記載のコネクタであって、
前記第２支持部の一部は、前記露出連結部として機能するものであり、
前記下側露出部は、少なくとも前記第２支持部の下端の下側まで延びている
コネクタ。
【請求項７】
請求項１から請求項６までのいずれかに記載のコネクタであって、
前記補強部材の夫々は、２つの弾性片を有しており、
前記弾性片の夫々は、前記コネクタと前記相手側コネクタとの嵌合時に前記相手側コネクタと接触するものであり、
前記島状部は、前記第２水平方向において、前記２つの前記弾性片から離れていると共に前記２つの前記弾性片の間に位置している
コネクタ。
【請求項８】
請求項７記載のコネクタであって、
前記保持部材は、包囲部を有しており、
前記包囲部は、前記上下方向と直交する面内において前記収容部を囲んでおり、
前記包囲部は、前記第２水平方向において、前記島状部と対向する対向壁部を有しており、
前記対向壁部には、前記弾性片の変形を許容する凹部が形成されており、
前記弾性片の上端は、前記上下方向において、前記対向壁部の上面より低い位置にある
コネクタ。
【請求項９】
請求項１から請求項８までのいずれかに記載のコネクタであって、
前記第１水平方向と前記上下方向とで規定される平面であって、前記第２水平方向における前記補強部材の中央を通る平面に対して、前記補強部材は対称な構造を有している
コネクタ。
【請求項１０】
請求項１から請求項９までのいずれかに記載のコネクタであって、
前記保持部材は、樹脂からなるものであり、
前記第１支持部と前記第２支持部と前記保護部の前記上面とにより規定された領域内は、前記保持部材の前記樹脂で埋められている
コネクタ。
【請求項１１】
請求項１から請求項１０までのいずれかに記載のコネクタであって、
前記コネクタは、２つのガイド部材を更に備えており、
前記ガイド部材の夫々は、前記第１水平方向において前記保護部と対向する第１ガイド部と、前記第２水平方向において前記収容部を挟んで位置する２つの第２ガイド部とを有している
コネクタ。
【請求項１２】
請求項１１記載のコネクタであって、
前記保護部の前記上面は、前記上下方向において、前記第１ガイド部の上端及び前記第２ガイド部の上端よりも低い位置にある
コネクタ。
【請求項１３】
請求項１１又は請求項１２記載のコネクタであって、
前記ガイド部材は、前記補強部材と夫々一体である
コネクタ。
【発明の詳細な説明】
【技術分野】
【０００１】
本発明は、相手側コネクタと嵌合可能なコネクタに関する。
【背景技術】
【０００２】
図２９及び図３０を参照すると、特許文献１には、Ｚ方向に沿って相手側コネクタ（図示せず）と嵌合可能なコネクタ９００が開示されている。コネクタ９００は、複数のデータ端子９１０と、データ端子９１０を保持するハウジング９２０と、ハウジング９２０に取り付けられる２つの端子９３０とを備えている。ハウジング９２０は、ループフレーム９２２と、相手側コネクタ（図示せず）を受容する受容部９２６と、受容部９２６内に配置され且つ上方に突出しているボス９２８、即ち島状部とを有している。ループフレーム９２２は、Ｘ方向に延びる縦フレーム９２３と、Ｙ方向に延びる横フレーム９２４とを有している。ボス９２８は、Ｘ方向に長手を有しており、長手の両端には制限溝９２９が夫々形成されている。端子９３０の夫々は、第１のＵ字形部分９３２と、２つの第２のＵ字形部分９３４と、第３のＵ字形部分９３６とを備えている。第１のＵ字形部分９３２は、ハウジング９２０のループフレーム９２２の横フレーム９２４を覆っている。第２のＵ字形部分９３４の夫々は、ハウジング９２０のループフレーム９２２の縦フレーム９２３を覆っている。第３のＵ字形部分９３６は、第１のＵ字形部分９３２から内側に延びており、Ｘ方向の先端に舌部９３７を有している。第３のＵ字形部分９３６の舌部９３７は、ボス９２８の制限溝９２９内で移動可能に配置されている。
【先行技術文献】
【特許文献】
【０００３】
【特許文献１】特開２０１５−２０７５５７号公報
【発明の概要】
【発明が解決しようとする課題】
【０００４】
特許文献１のコネクタにおいては、位置ずれした状態で相手側コネクタ（図示せず）と嵌合する際に、コネクタ９００のボス９２８や舌部９３７が破損して適切な嵌合ができないおそれがある。
【０００５】
そこで、本発明は、位置ずれした状態で相手側コネクタと嵌合する際においても島状部などの破損が避けられるコネクタを提供することを目的とする。
【課題を解決するための手段】
【０００６】
本発明は、第１のコネクタとして、
上下方向に沿って相手側コネクタと嵌合可能なコネクタであって、
前記コネクタは、コンタクトと、前記コンタクトを保持する保持部材と、前記保持部材に組み込まれる２つの補強部材とを備えており、
前記保持部材は、前記相手側コネクタの一部を収容する収容部と、前記収容部内に配置され且つ前記上下方向において上方に突出した島状部とを有しており、
前記島状部は、前記上下方向と直交する第１水平方向に長手を有しており、
前記補強部材は、前記第１水平方向において前記島状部の２つの端部に夫々位置しており、
前記補強部材の夫々は、前記島状部の前記端部を保護する保護部と、前記保護部を支持する支持部とを有しており、
前記保護部は、前記上下方向において前記島状部から上方に露出している上面と、前記島状部に埋め込まれる埋設部と、前記上面と前記埋設部とを連結すると共に前記島状部から露出している露出連結部とを有しており、
前記支持部は、前記第１水平方向と前記上下方向とで規定される面内又は前記第１水平方向及び前記上下方向の双方と直交する第２水平方向と前記上下方向とで規定される面内において、前記上面から前記上下方向において下方に延びる第１支持部及び第２支持部を有しており、
前記第２支持部は、前記上下方向において、前記第１支持部の１／２倍以上１倍以下のサイズを有している
コネクタを提供する。
【０００７】
また、本発明は、第２のコネクタとして、第１のコネクタであって、
前記補強部材の夫々は、前記第１支持部から延びる下側露出部を有しており、
前記下側露出部は、前記上下方向において、前記保持部材から下方に露出している
コネクタを提供する。
【０００８】
また、本発明は、第３のコネクタとして、第２のコネクタであって、
前記下側露出部は、前記上下方向において、前記保持部材の底面と同じ位置に位置しているか、または、前記底面から下側に突出している
コネクタを提供する。
【０００９】
また、本発明は、第４のコネクタとして、第２又は第３のコネクタであって、
前記下側露出部は、第１下側露出部であり、
前記補強部材の夫々は、前記第２支持部から延びる第２下側露出部を有しており、
前記第２下側露出部は、前記上下方向において、前記保持部材から下方に露出している
コネクタを提供する。
【００１０】
また、本発明は、第５のコネクタとして、第４のコネクタであって、
前記保護部の前記上面は、前記第２水平方向において、前記第１下側露出部と前記第２下側露出部との間に位置している
コネクタを提供する。
【００１１】
また、本発明は、第６のコネクタとして、第２又は第３のコネクタであって、
前記第２支持部の一部は、前記露出連結部として機能するものであり、
前記下側露出部は、少なくとも前記第２支持部の下端の下側まで延びている
コネクタを提供する。
【００１２】
また、本発明は、第７のコネクタとして、第１から第６までのいずれかのコネクタであって、
前記補強部材の夫々は、２つの弾性片を有しており、
前記弾性片の夫々は、前記コネクタと前記相手側コネクタとの嵌合時に前記相手側コネクタと接触するものであり、
前記島状部は、前記第２水平方向において、前記２つの前記弾性片から離れていると共に前記２つの前記弾性片の間に位置している
コネクタを提供する。
【００１３】
また、本発明は、第８のコネクタとして、第７のコネクタであって、
前記保持部材は、包囲部を有しており、
前記包囲部は、前記上下方向と直交する面内において前記収容部を囲んでおり、
前記包囲部は、前記第２水平方向において、前記島状部と対向する対向壁部を有しており、
前記対向壁部には、前記弾性片の変形を許容する凹部が形成されており、
前記弾性片の上端は、前記上下方向において、前記対向壁部の上面より低い位置にある
コネクタを提供する。
【００１４】
また、本発明は、第９のコネクタとして、第１から第８までのいずれかのコネクタであって、
前記第１水平方向と前記上下方向とで規定される平面であって、前記第２水平方向における前記補強部材の中央を通る平面に対して、前記補強部材は対称な構造を有している
コネクタを提供する。
【００１５】
また、本発明は、第１０のコネクタとして、第１から第９までのいずれかのコネクタであって、
前記保持部材は、樹脂からなるものであり、
前記第１支持部と前記第２支持部と前記保護部の前記上面とにより規定された領域内は、前記保持部材の前記樹脂で埋められている
コネクタを提供する。
【００１６】
また、本発明は、第１１のコネクタとして、第１から第１０までのいずれかのコネクタであって、
前記コネクタは、２つのガイド部材を更に備えており、
前記ガイド部材の夫々は、前記第１水平方向において前記保護部と対向する第１ガイド部と、前記第２水平方向において前記収容部を挟んで位置する２つの第２ガイド部とを有している
コネクタを提供する。
【００１７】
また、本発明は、第１２のコネクタとして、第１１のコネクタであって、
前記保護部の前記上面は、前記上下方向において、前記第１ガイド部の上端及び前記第２ガイド部の上端よりも低い位置にある
コネクタを提供する。
【００１８】
また、本発明は、第１３のコネクタとして、第１１又は第１２のコネクタであって、
前記ガイド部材は、前記補強部材と夫々一体である
コネクタを提供する。
【発明の効果】
【００１９】
本発明のコネクタにおいては、島状部の２つの端部には保護部が設けられている。これにより、位置ずれした状態で相手側コネクタと嵌合する際においても、島状部などの破損が避けられる。
【００２０】
また本発明のコネクタにおいては、保護部を支持する支持部が設けられている。これにより、保護部の補強が図られており、位置ずれした状態で相手側コネクタと嵌合する際においても保護部の上面が変形しにくい構造となっている。
【図面の簡単な説明】
【００２１】
【図１】本発明の第１の実施の形態によるコネクタを示す斜視図である。
【図２】図１のコネクタの底面を示す斜視図である。
【図３】図１のコネクタを示す上面図である。
【図４】図１のコネクタを示す側面図である。
【図５】図３のコネクタをＡ−Ａ線に沿って示す断面図である。
【図６】図４のコネクタをＢ−Ｂ線に沿って示す断面図である。
【図７】図１のコネクタに含まれる補強部材の一方を示す斜視図である。
【図８】図７の補強部材を示す背面斜視図である。
【図９】図７の補強部材を示す上面図である。
【図１０】図７の補強部材を示す背面図である。
【図１１】図７の補強部材を示す下面図である。
【図１２】図７の補強部材を示す正面図である。
【図１３】図７の補強部材の底面を示す斜視図である。
【図１４】図７の補強部材を示す側面図である。
【図１５】本発明の第２の実施の形態によるコネクタを示す斜視図である。
【図１６】図１５のコネクタの底面を示す斜視図である。
【図１７】図１５のコネクタを示す上面図である。
【図１８】図１５のコネクタを示す側面図である。
【図１９】図１７のコネクタをＣ−Ｃ線に沿って示す断面図である。
【図２０】図１８のコネクタをＤ−Ｄ線に沿って示す断面図である。
【図２１】図１５のコネクタに含まれる補強部材の一方を示す斜視図である。
【図２２】図２１の補強部材を示す背面斜視図である。
【図２３】図２１の補強部材を示す上面図である。
【図２４】図２１の補強部材を示す背面図である。
【図２５】図２１の補強部材を示す下面図である。
【図２６】図２１の補強部材を示す正面図である。
【図２７】図２１の補強部材の底面を示す斜視図である。
【図２８】図２１の補強部材を示す側面図である。
【図２９】特許文献１のコネクタを示す斜視図である。
【図３０】図２９のコネクタに含まれる補強部材を示す斜視図である。
【発明を実施するための形態】
【００２２】
（第１の実施の形態）
図１から図６までに示されるように、本発明の第１の実施の形態によるコネクタ１００は、上下方向に沿って相手側コネクタ（図示せず）と嵌合可能なものである。ここで本実施の形態においては、上下方向はＺ方向である。上方は＋Ｚ方向であり、下方は−Ｚ方向である。
【００２３】
図１から図６までに示されるように、本実施の形態のコネクタ１００は、保持部材３００と、保持部材３００に保持される複数のコンタクト２００と、保持部材３００に組み込まれる２つの補強部材４００と、２つのガイド部材５００とを備えている。
【００２４】
図１、図３及び図６に示されるように、保持部材３００は樹脂からなるものであり、収容部３１０と、島状部３２０と、包囲部３３０とを有している。
【００２５】
図１及び図３に示されるように、収容部３１０は、コネクタ１００に相手側コネクタ（図示せず）が嵌合した際に、相手側コネクタ（図示せず）の一部を収容するものである。収容部３１０は、上下方向と直交する平面内において、略ロの字状の形状を有している。
【００２６】
図１、図３及び図５に示されるように、島状部３２０は、収容部３１０内に配置され且つ上下方向において上方に突出している。より具体的には、島状部３２０は上下方向と直交する第１水平方向に長手を有しており、長手の両端に２つの端部３２１を有している。本実施の形態において、第１水平方向はＸ方向である。
【００２７】
図５に示されるように、島状部３２０の上下方向及び第１水平方向の双方と直交する第２水平方向における両端には、３つずつの第１接点部収容部３２２が設けられている。本実施の形態において、第２水平方向はＹ方向である。第１接点部収容部３２２は、第２水平方向において、内側に凹んでいる。
【００２８】
図１から図６までに示されるように、包囲部３３０は、第１対向壁部（対向壁部）３３２と第２対向壁部３３３とを有している。
【００２９】
第１対向壁部３３２は、第２水平方向において、コネクタ１００の両端に夫々位置している。第１対向壁部３３２の夫々は、第２水平方向において、島状部３２０と対向している。第１対向壁部３３２の夫々には、２つの凹部３３４と、３つの第２接点部収容部３３５とが形成されている。第２接点部収容部３３５は、第１水平方向において、２つの凹部３３４の間に位置している。凹部３３４の夫々は、第２水平方向において、外側に凹んでいる。第２接点部収容部３３５の夫々は、第２水平方向において、外側に凹んでいる。
【００３０】
第２対向壁部３３３は、第１水平方向において、コネクタ１００の両端に夫々位置している。第２対向壁部３３３は、第１水平方向において、島状部３２０の端部３２１と夫々対向している。
【００３１】
図１及び図３に示されるように、包囲部３３０は、上下方向と直交する平面内、即ちＸＹ平面内において、略ロの字状の形状を有しており、収容部３１０を囲んでいる。より具体的には、包囲部３３０は、ＸＹ平面内において、収容部３１０を介して島状部３２０を囲んでいる。
【００３２】
図１から図６までに示されるように、コンタクト２００の夫々は、導電体からなるものであり、第１接点部２１０と、第２接点部２２０と、連結部２３０と、被固定部２４０とを有している。第１接点部２１０と第２接点部２２０とは、連結部２３０により連結されている。また第１接点部２１０と第２接点部２２０とは、第２水平方向において対向している。被固定部２４０は、第２水平方向において第２接点部２２０から外側に延びている。第１接点部２１０は、島状部３２０の第１接点部収容部３２２内に、第２水平方向に移動可能となるように収容されている。第２接点部２２０は、包囲部３３０の第１対向壁部３３２の第２接点部収容部３３５内に収容されている。
【００３３】
図１、図３、図５及び図６に示されるように、補強部材４００は第１水平方向において島状部３２０の２つの端部３２１に夫々位置している。
【００３４】
図１、図３、図６から図１３までに示されるように、第１水平方向と上下方向とで規定される平面であって、第２水平方向における補強部材４００の中央を通る平面に対して、補強部材４００は対称な構造を有している。本実施の形態において、第１水平方向と上下方向とで規定される平面は、ＸＺ平面である。
【００３５】
図１、図３及び図５から図１４までに示されるように、補強部材４００の夫々は、金属製であり、島状部３２０の端部３２１を保護する保護部４１０と、保護部４１０を支持する支持部４２０と、第１下側露出部（下側露出部）４２４と、第２下側露出部４２８と、２つの弾性片４３０とを有している。
【００３６】
図５及び図７から図１４までに示されるように、保護部４１０は、上面４１２と、埋設部４１４と、露出連結部４１６とを有している。
【００３７】
図１、図３、図５及び図６までに示されるように、上面４１２は、上下方向において島状部３２０から上方に露出している。より具体的には、本実施の形態の上面４１２は、上下方向と直交している。
【００３８】
図５及び図７から図１４までに示されるように、露出連結部４１６は、上面４１２の第１水平方向における外側の端部から下方に延びている。具体的には、図示された補強部材４００においては、露出連結部４１６は、上面４１２の＋Ｘ側端から下方に延びている。より具体的には、露出連結部４１６は、上面４１２と埋設部４１４とを連結すると共に島状部３２０から露出している。
【００３９】
図５、図７及び図９に示されるように、埋設部４１４は、露出連結部４１６の下端から下方に延びており、島状部３２０の端部３２１に埋め込まれている。
【００４０】
図６から図８までに示されるように、支持部４２０は、第２水平方向と上下方向とで規定される面内において、上面４１２から上下方向において下方に延びる第１支持部４２２及び第２支持部４２６を有している。本実施の形態において、第２水平方向と上下方向とで規定される平面は、ＹＺ平面である。より具体的には、第１支持部４２２は、保護部４１０の上面４１２の第２水平方向における２つの端部のうちの一方から下方に延びており、第２支持部４２６は、保護部４１０の上面４１２の上記２つの端部のうちの残りの一方から下方に延びている。第２支持部４２６は、上下方向において、第１支持部４２２の１／２倍以上１倍以下のサイズを有している。より具体的には、本実施の形態の第２支持部４２６は、上下方向において第１支持部４２２と同じサイズを有している。
【００４１】
図６から図１４までから理解されるように、本実施の形態のコネクタ１００においては、島状部３２０の２つの端部３２１には保護部４１０が設けられている。これにより、位置ずれした状態で相手側コネクタ（図示せず）と嵌合する際においても、島状部３２０などの破損が避けられる。特に、コネクタ１００が相手側コネクタ（図示せず）と嵌合する際において、相手側コネクタ（図示せず）の嵌合端（図示せず）などがコネクタ１００の保護部４１０の上面４１２に突き当たって上面４１２に下方に向かう力が加えられたとしても、上面４１２が対称的に配置された第１支持部４２２及び第２支持部４２６により支持されており、上面４１２に加えられた力がバランスよく分散されるため、上面４１２は変形しにくい構造となっている。
【００４２】
図１、図３、図５及び図６に示されるように、第１支持部４２２と第２支持部４２６と保護部４１０の上面４１２とにより規定された領域内は、保持部材３００の樹脂で埋められている。換言すれば、第１支持部４２２と第２支持部４２６と保護部４１０の上面４１２とにより規定された領域内において、保持部材３００の樹脂が存在しない領域は無い。これにより、コネクタ１００が相手側コネクタ（図示せず）と嵌合する際に相手側コネクタ（図示せず）が補強部材４００の上面４１２に突き当たる場合においても、保護部４１０の上面４１２が変形することは無く、補強部材４００の変形及び島状部３２０の破損がより避けられる構造となっている。
【００４３】
図２、図６、図７、図１２及び図１３に示されるように、第１下側露出部４２４は、第１支持部４２２の下端から第２水平方向において外側に延びており、上下方向において、保持部材３００から下方に露出している。より具体的には、第１下側露出部４２４は、上下方向において、保持部材３００の底面３０２と同じ位置に位置しているか、または、保持部材３００の底面３０２から下側に突出している。本実施の形態の第１下側露出部４２４は、上下方向において、保持部材３００の底面３０２から下方に突出している。
【００４４】
図２、図６、図７、図１２及び図１３に示されるように、第２下側露出部４２８は、第２支持部４２６の下端から第２水平方向において外側に延びており、上下方向において、保持部材３００から下方に露出している。より具体的には、第２下側露出部４２８は、上下方向において、保持部材３００の底面３０２と同じ位置に位置しているか、または、保持部材３００の底面３０２から下方に突出している。本実施の形態の第２下側露出部４２８は、上下方向において、保持部材３００の底面３０２から下方に突出している。
【００４５】
図６から図１３に示されるように、保護部４１０の上面４１２は、第２水平方向において、第１下側露出部４２４と第２下側露出部４２８との間に位置している。また保護部４１０の上面４１２の一部は、第１水平方向において、第１下側露出部４２４及び第２下側露出部４２８と同じ位置に位置しており、上下方向において、第１下側露出部４２４及び第２下側露出部４２８より上方に位置している。
【００４６】
上述のように、本実施の形態のコネクタ１００は、第１支持部４２２から延びる第１下側露出部４２４及び第２支持部４２６から延びる第２下側露出部４２８を有している。回路基板（図示せず）上に搭載されたコネクタ１００に対して相手側コネクタ（図示せず）が嵌合する際、相手側コネクタ（図示せず）がコネクタ１００の保護部４１０の上面４１２に突き当たることにより上面４１２に下向きの力が加えられた場合、第１下側露出部４２４及び第２下側露出部４２８は下方に移動して回路基板（図示せず）に突き当たることとなる。即ち、上面４１２に加えられた下向きの力は、第１下側露出部４２４及び第２下側露出部４２８を介して回路基板（図示せず）に受止められる。これにより上面４１２は、より変形しにくい構造となっている。
【００４７】
図１、図３及び図６に示されるように、弾性片４３０の夫々は、コネクタ１００と相手側コネクタ（図示せず）との嵌合時に相手側コネクタ（図示せず）と接触するものである。弾性片４３０のうちの一つは、第１下側露出部４２４の第２水平方向における２つの端部のうちの一方から上方に延びており、残りの一つは、第２下側露出部４２８の第２水平方向における２つの端部のうちの一方から上方に延びている。島状部３２０は、第２水平方向において、２つの弾性片４３０から離れていると共に２つの弾性片４３０の間に位置している。弾性片４３０は、第１対向壁部３３２の凹部３３４内に夫々収容されている。即ち、第１対向壁部３３２の凹部３３４は、弾性片４３０の変形を許容している。ここで、弾性片４３０の上端４３２は、上下方向において、第１対向壁部３３２の上面３３６より低い位置にある。
【００４８】
図１、図３及び図７から図１４までに示されるように、ガイド部材５００は、補強部材４００と夫々一体となっている。具体的には、補強部材４００及びガイド部材５００は、インサートモールドにより保持部材３００に組み込まれている。ガイド部材５００の夫々は、金属製であり、第１ガイド部５１０と、２つの第２ガイド部５２０と、被固定部５０５と、連結部５０８とを有している。
【００４９】
図１、図３、図５及び図７から図１４までに示されるように、第１ガイド部５１０は、第１水平方向において補強部材４００の保護部４１０と対向している。より具体的には、第１ガイド部５１０は、第１水平方向において、保護部４１０の露出連結部４１６及び埋設部４１４と対向している。
【００５０】
図１及び図３に示されるように、第２ガイド部５２０の夫々は、第２水平方向において保持部材３００の収容部３１０を挟んで位置している。
【００５１】
図１１及び図１３までに示されるように、図示されたガイド部材５００の被固定部５０５は、補強部材４００の保護部４１０の埋設部４１４の＋Ｘ側端から＋Ｘ方向に延びており、被固定部５０５の＋Ｘ側端は自由端となっている。
【００５２】
図８及び図１０から図１３までに示されるように、図示されたガイド部材５００の連結部５０８は、ガイド部材５００の第１ガイド部５１０の−Ｘ側端部から下方に延びている。より詳しくは、第１ガイド部５１０と、被固定部５０５の第２水平方向の両端とは、連結部５０８により連結されている。
【００５３】
図２、図４及び図５から理解されるように、ガイド部材５００の第２ガイド部５２０の下端５２４と被固定部５０５の自由端は、回路基板（図示せず）に半田付けされるものである。
【００５４】
図２及び図４から理解されるように、本実施の形態の第１下側露出部４２４及び第２下側露出部４２８は、上下方向において、第２ガイド部５２０の下端５２４及び被固定部５０５の自由端よりも上方に位置しており、保持部材３００の底面３０２よりも下方に位置している。本実施の形態の第１下側露出部４２４及び第２下側露出部４２８については、弾性片４３０のバネ性を確保するため、回路基板（図示せず）に半田付けされない。
【００５５】
図５及び図６に示されるように、保護部４１０の上面４１２は、上下方向において、第１ガイド部５１０の上端５１２及び第２ガイド部５２０の上端５２２よりも低い位置にある。これにより、コネクタ１００が相手側コネクタ（図示せず）と嵌合する際において、相手側コネクタ（図示せず）の嵌合端（図示せず）のＸＹ平面上における相対位置が、コネクタ１００の保持部材３００の収容部３１０に対してずれている場合、相手側コネクタ（図示せず）の嵌合端（図示せず）は、コネクタ１００の島状部３２０や補強部材４００と接触する前にコネクタ１００の第１ガイド部５１０の上端５１２又は第２ガイド部５２０の上端５２２と接触し、コネクタ１００の保持部材３００の収容部３１０に向かってガイドされることとなる。
【００５６】
（第２の実施の形態）
図１５から図２８までを参照すると、本発明の第２の実施の形態によるコネクタ１００Ａは、補強部材４００Ａを除き、上述した第１の実施の形態によるコネクタ１００（図１参照）と同じ構成を備えている。そのため、図１５から図２８までに示される構成要素のうち、第１の実施の形態と同様の構成要素に対しては同一の参照符号を付すこととする。
【００５７】
図１５、図１７及び図２０から理解されるように、本実施の形態のコネクタ１００Ａは、複数のコンタクト２００と、コンタクト２００を保持する保持部材３００と、保持部材３００に組み込まれる２つの補強部材４００Ａと、２つのガイド部材５００とを備えている。このうち、コンタクト２００及びガイド部材５００については、上述した第１の実施の形態のコネクタ１００のものと同じ構造を有するものである。また、保持部材３００については、組み込まれている補強部材４００Ａが異なるので細部は異なっているが、実質的には第１の実施の形態のコネクタ１００のものと同じ構造を有している。従って、これらについては、詳細な説明を省略する。
【００５８】
図１５、図１７及び図１９に示されるように、補強部材４００Ａは、第１水平方向において島状部３２０の２つの端部３２１に夫々位置している。本実施の形態において、第１水平方向はＸ方向である。
【００５９】
図１５、図１７及び図２０から図２７までに示されるように、第１水平方向と上下方向とで規定される平面であって、第２水平方向における補強部材４００Ａの中央を通る平面に対して、補強部材４００Ａは対称な構造を有している。本実施の形態において、第１水平方向と上下方向とで規定される平面は、ＸＺ平面である。また本実施の形態において、第２水平方向はＹ方向である。
【００６０】
図１５、図１７及び図１９から図２８までに示されるように、補強部材４００Ａの夫々は、金属製であり、島状部３２０の端部３２１を保護する保護部４１０Ａと、保護部４１０Ａを支持する支持部４２０Ａと、下側露出部４２４Ａと、２つの弾性片４３０Ａとを有している。
【００６１】
図１９、図２３、図２４及び図２７までに示されるように、保護部４１０Ａは、上面４１２Ａと、埋設部４１４Ａと、露出連結部４１６Ａとを有している。
【００６２】
図１５、図１７、図１９及び図２０までに示されるように、上面４１２Ａは、上下方向において島状部３２０から上方に露出している。より具体的には、本実施の形態の上面４１２Ａは、上下方向と直交している。
【００６３】
図１９、図２１から図２４、図２７及び図２８までに示されるように、露出連結部４１６Ａは、上面４１２Ａの第１水平方向における外側の端部から下方に延びている。より具体的には、露出連結部４１６Ａは、上面４１２Ａと埋設部４１４Ａとを連結すると共に島状部３２０から露出している。
【００６４】
図１９、図２１、図２３、図２４、図２７及び図２８までに示されるように、埋設部４１４Ａは、露出連結部４１６Ａの下端から下方に延びており、島状部３２０の端部３２１に埋め込まれている。
【００６５】
図１９及び図２１から図２８までに示されるように、支持部４２０Ａは、第１水平方向と上下方向とで規定される面内において、上面４１２Ａから上下方向において下方に延びる第１支持部４２２Ａ及び第２支持部４２６Ａを有している。本実施の形態において、第１水平方向と上下方向とで規定される平面は、ＸＺ平面である。より具体的には、第１支持部４２２Ａは、保護部４１０Ａの上面４１２Ａの第１水平方向における２つの端部のうちの一方から下方に延びており、第２支持部４２６Ａは、保護部４１０Ａの上面４１２Ａの上記２つの端部のうちの残りの一方から下方に延びている。即ち、第２支持部４２６Ａの一部は、露出連結部４１６Ａ及び埋設部４１４Ａとして機能するものである。第２支持部４２６Ａは、上下方向において、第１支持部４２２Ａの１／２倍以上１倍以下のサイズを有している。
【００６６】
図１９及び図２１から図２８までから理解されるように、本実施の形態のコネクタ１００Ａにおいては、島状部３２０の２つの端部３２１には保護部４１０Ａが設けられている。これにより、位置ずれした状態で相手側コネクタ（図示せず）と嵌合する際においても、島状部３２０などの破損が避けられる。特に、コネクタ１００Ａが相手側コネクタ（図示せず）と嵌合する際において、相手側コネクタ（図示せず）の嵌合端（図示せず）などがコネクタ１００Ａの保護部４１０Ａの上面４１２Ａに突き当たって上面４１２Ａに下方に向かう力が加えられたとしても、上面４１２Ａが第１支持部４２２Ａ及び第２支持部４２６Ａにより支持されていることにより、上面４１２Ａに加えられた力が分散されるため、上面４１２Ａは変形しにくい構造となっている。
【００６７】
図１９及び図２０に示されるように、第１支持部４２２Ａと第２支持部４２６Ａと保護部４１０Ａの上面４１２Ａとにより規定された領域内は、保持部材３００の樹脂で埋められている。換言すれば、第１支持部４２２Ａと第２支持部４２６Ａと保護部４１０Ａの上面４１２Ａとにより規定された領域内において、保持部材３００の樹脂が存在しない領域は無い。これにより、コネクタ１００Ａが相手側コネクタ（図示せず）と嵌合する際に相手側コネクタ（図示せず）が補強部材４００Ａの上面４１２Ａに突き当たる場合においても、保護部４１０Ａの上面４１２Ａが変形することは無く、補強部材４００Ａの変形及び島状部３２０の破損がより避けられる構造となっている。
【００６８】
図１９から図２１まで及び図２４から図２８までに示されるように、下側露出部４２４Ａは、第１支持部４２２Ａから延びており、上下方向において、保持部材３００から下方に露出している。また、下側露出部４２４Ａは、上下方向において、保持部材３００の底面３０２と同じ位置に位置しているか、または、保持部材３００の底面３０２から下側に突出している。より具体的には、本実施の形態の下側露出部４２４Ａは、上下方向において、保持部材３００の底面３０２よりも下方に突出している。
【００６９】
図１９から図２１、図２７及び図２８までに示されるように、下側露出部４２４Ａは、少なくとも第２支持部４２６Ａの下端の下側まで延びている。より具体的には、本実施の形態の下側露出部４２４Ａは、第１支持部４２２Ａの下端から第１水平方向において外側に延びている。また本実施の形態の下側露出部４２４Ａは、第２支持部４２６Ａの下端、即ち埋設部４１４Ａの下端と接続されておらず、上下方向において一定の間隔をおいて位置している。なお、本発明はこれに限定されず、下側露出部４２４Ａは、隙間なく埋設部４１４Ａへ突き当たるように構成することもできる。
【００７０】
上述のように、本実施の形態のコネクタ１００Ａは、第１支持部４２２Ａから延びる下側露出部４２４Ａ及び第２支持部４２６Ａを有している。ここで、第２支持部４２６Ａは、上下方向において、第１支持部４２２Ａの１／２倍以上１倍以下のサイズを有しており、保持部材３００の一部を介して下側露出部４２４Ａと連続している。回路基板（図示せず）上に搭載されたコネクタ１００Ａに対して相手側コネクタ（図示せず）が嵌合する際、相手側コネクタ（図示せず）がコネクタ１００Ａの保護部４１０Ａの上面４１２Ａに突き当たることにより上面４１２Ａに下向きの力が加えられた場合、下側露出部４２４Ａは下方に移動して回路基板（図示せず）に突き当たることとなる。即ち、上面４１２Ａに加えられた下向きの力は、下側露出部４２４Ａを介して回路基板（図示せず）に受止められることとなる。これにより上面４１２Ａは、より変形しにくい構造となっている。
【００７１】
図１５、図１７及び図２０までに示されるように、弾性片４３０Ａの夫々は、コネクタ１００Ａと相手側コネクタ（図示せず）との嵌合時に相手側コネクタ（図示せず）と接触するものである。弾性片４３０Ａは、下側露出部４２４Ａの第２水平方向の両端から上方に夫々延びている。島状部３２０は、第２水平方向において、２つの弾性片４３０Ａから離れていると共に２つの弾性片４３０Ａの間に位置している。弾性片４３０Ａは、第１対向壁部３３２の凹部３３４内に夫々収容されている。即ち、第１対向壁部（対向壁部）３３２の凹部３３４は、弾性片４３０Ａの変形を許容している。ここで、弾性片４３０Ａの上端４３２Ａは、上下方向において、第１対向壁部３３２の上面３３６より低い位置にある。
【００７２】
図１５、図１７、図１９及び図２１から図２８までに示されるように、ガイド部材５００は、補強部材４００Ａと夫々一体となっている。具体的には、補強部材４００Ａ及びガイド部材５００は、インサートモールドにより保持部材３００に組み込まれている。
【００７３】
図１５、図１７、図１９及び図２１から図２７までに示されるように、第１ガイド部５１０は、第１水平方向において補強部材４００Ａの保護部４１０Ａと対向している。より具体的には、第１ガイド部５１０は、第１水平方向において、保護部４１０Ａの露出連結部４１６Ａ及び埋設部４１４Ａと対向している。即ち、第１ガイド部５１０は、第１水平方向において、支持部４２０Ａの第２支持部４２６Ａと対向している。
【００７４】
図２２、図２５及び図２７までに示されるように、図示されたガイド部材５００の被固定部５０５は、補強部材４００Ａの下側露出部４２４Ａの＋Ｘ側端から＋Ｘ方向に延びており、＋Ｘ側端は自由端となっている。
【００７５】
図１６及び図１８から図２０までから理解されるように、第１の実施の形態と同様に、本実施の形態の下側露出部４２４Ａは、上下方向において、第２ガイド部５２０の下端５２４及び被固定部５０５の自由端よりも上方に位置しており、保持部材３００の底面３０２よりも下方に位置している。本実施形態の下側露出部４２４Ａは、弾性片４３０Ａのバネ性を確保するため、回路基板（図示せず）に半田付けされない。
【００７６】
図１９及び図２０に示されるように、保護部４１０Ａの上面４１２Ａは、上下方向において、第１ガイド部５１０の上端５１２及び第２ガイド部５２０の上端５２２よりも低い位置にある。これにより、コネクタ１００Ａを相手側コネクタ（図示せず）と嵌合する際において、相手側コネクタ（図示せず）の嵌合端（図示せず）のＸＹ平面上における相対位置が、コネクタ１００Ａの保持部材３００の収容部３１０に対してずれている場合、相手側コネクタ（図示せず）の嵌合端（図示せず）は、コネクタ１００Ａの島状部３２０や補強部材４００Ａと接触する前にコネクタ１００Ａの第１ガイド部５１０の上端５１２又は第２ガイド部５２０の上端５２２と接触し、コネクタ１００Ａの保持部材３００の収容部３１０に向かってガイドされることとなる。
【００７７】
以上、本発明について実施の形態を掲げて具体的に説明してきたが、本発明はこれに限定されるものではない。
【００７８】
上述した実施の形態の補強部材４００，４００Ａは、第１支持部４２２，４２２Ａ及び第２支持部４２６，４２６Ａを有していたが、第１支持部４２２，４２２Ａ及び第２支持部４２６，４２６Ａに加えて、同様に上面４１２，４１２Ａから延びる別の支持部を追加してもよい。
【符号の説明】
【００７９】
１００，１００Ａ        コネクタ
２００        コンタクト
２１０        第１接点部
２２０        第２接点部
２３０        連結部
２４０        被固定部
３００        保持部材
３０２        底面
３１０        収容部
３２０        島状部
３２１        端部
３２２        第１接点部収容部
３３０        包囲部
３３２        第１対向壁部（対向壁部）
３３３        第２対向壁部
３３４        凹部
３３５        第２接点部収容部
３３６        上面
４００，４００Ａ        補強部材
４１０，４１０Ａ        保護部
４１２，４１２Ａ        上面
４１４，４１４Ａ        埋設部
４１６，４１６Ａ        露出連結部
４２０，４２０Ａ        支持部
４２２，４２２Ａ        第１支持部
４２４，４２４Ａ        下側露出部（第１下側露出部）
４２６，４２６Ａ        第２支持部
４２８        第２下側露出部
４３０，４３０Ａ        弾性片
４３２，４３２Ａ        上端
５００        ガイド部材
５０５        被固定部
５０８        連結部
５１０        第１ガイド部
５１２        上端
５２０        第２ガイド部
５２２        上端
５２４        下端
【図１】
0006498622.tif 000002
【図２】
0006498622.tif 000003
【図３】
0006498622.tif 000004
【図４】
0006498622.tif 000005
【図５】
0006498622.tif 000006
【図６】
0006498622.tif 000007
【図７】
0006498622.tif 000008
【図８】
0006498622.tif 000009
【図９】
0006498622.tif 000010
【図１０】
0006498622.tif 000011
【図１１】
0006498622.tif 000012
【図１２】
0006498622.tif 000013
【図１３】
0006498622.tif 000014
【図１４】
0006498622.tif 000015
【図１５】
0006498622.tif 000016
【図１６】
0006498622.tif 000017
【図１７】
0006498622.tif 000018
【図１８】
0006498622.tif 000019
【図１９】
0006498622.tif 000020
【図２０】
0006498622.tif 000021
【図２１】
0006498622.tif 000022
【図２２】
0006498622.tif 000023
【図２３】
0006498622.tif 000024
【図２４】
0006498622.tif 000025
【図２５】
0006498622.tif 000026
【図２６】
0006498622.tif 000027
【図２７】
0006498622.tif 000028
【図２８】
0006498622.tif 000029
【図２９】
0006498622.tif 000030
【図３０】
0006498622.tif 000031